(57)【要約】【課題】使用環境の変化に応じて生成される検索トリガを契機に番組検索を行い、ユーザが所望する最適な検索結果をユーザに提供する。【解決手段】番組情報検索システムは、番組情報を取得し、記憶する番組情報記憶手段１７と、所望の番組の検索条件を設定する検索条件設定手段（１０、１４）と、検索条件設定手段により設定された検索条件を記憶する検索条件記憶手段（１９）と、システムの使用環境の変化を検出して番組情報記憶手段の検索を開始するタイミング信号を生成する検索トリガ生成手段（１０、１２、２０、２２）と、検索条件設定手段により設定される検索条件を検索条件記憶手段に送信し、検索トリガ生成手段によりタイミング信号が生成されたことを契機に、検索条件記憶手段から読み出される検索条件に対応する番組を、番組情報記憶手段に記憶された番組情報中から検索する検索制御手段（１８）と、検索制御手段による検索結果を外部に出力する検索結果出力手段（１５、１６）で構成される。【選択図】図１
2008078765.tif 000002
【特許請求の範囲】
【請求項１】
番組情報を取得して記憶する番組情報記憶手段と、
所望の番組の検索条件が設定される検索条件設定手段と、
前記検索条件設定手段により設定された検索条件を記憶する検索条件記憶手段と、
システムの使用環境の変化を検出して前記番組情報記憶手段の検索を開始するタイミング信号を生成する検索トリガ生成手段と、
前記検索条件設定手段により設定される検索条件を前記検索条件記憶手段に出力し、前記検索トリガ生成手段により前記タイミング信号が生成されたことを契機に、前記検索条件記憶手段から出力される検索条件に対応する番組を、前記番組情報記憶手段に記憶された番組情報中から検索する検索制御手段と、
前記検索制御手段による検索結果を外部に出力する検索結果出力手段と、
を備えた番組情報検索システム。
【請求項２】
番組情報を取得して記憶する番組情報記憶手段と、
所望の番組の検索条件が設定される検索条件設定手段と、
前記検索条件設定手段により設定された検索条件を記憶する検索条件記憶手段と、
システムの使用環境の変化を検出して前記番組情報記憶手段の検索を開始するタイミング信号を生成する検索トリガ生成手段と、
前記検索条件設定手段により設定される検索条件を前記検索条件記憶手段に出力し、前記検索トリガ生成手段により前記タイミング信号が生成されたことを契機に、前記検索条件記憶手段から出力される検索条件に対応する番組を、前記番組情報記憶手段に記憶された番組情報中から検索する検索制御手段と、
前記検索制御手段から検索結果を取得し、前記検索条件に適合した番組に対応するチャンネルを受信チャンネルに設定する受信チャンネル設定手段と、
を備えた番組情報検索システム。
【請求項３】
システムの現在位置情報を取得し、前記現在位置情報が更新された場合、前記検索トリガ生成手段に対して前記タイミング信号の生成を要求する現在位置取得手段、
を備えたことを特徴とする請求項１または請求項２記載の番組情報検索システム。
【請求項４】
番組の受信レベル情報を取得し、前記受信レベル情報が更新された場合に、前記検索トリガ生成手段に対して前記タイミング信号の生成を要求する受信レベル取得手段、
を備えたことを特徴とする請求項１から請求項３のうちのいずれか１項記載の番組情報検索システム。
【請求項５】
目標設定された経路情報を取得し、前記経路情報が更新された場合、前記検索トリガ生成手段に対して前記タイミング信号の生成を要求する経路情報取得手段、
を備えたことを特徴とする請求項１から請求項４のうちのいずれか１項記載の番組情報検索システム。
【請求項６】
システムの使用環境の変化を検出して前記検索条件記憶手段に記憶されている検索条件を変更設定する検索条件変更設定手段、
を備えたことを特徴とする請求項１から請求項５のうちのいずれか１項記載の番組情報検索システム。
【請求項７】
前記検索条件変更設定手段は、
前記検索制御手段によって出力される検索結果に応じて前記検索条件を変更することを特徴とする請求項６記載の番組情報検索システム。
【請求項８】
前記検索条件変更設定手段は、
システムの現在位置情報に応じて前記検索条件を変更設定することを特徴とする請求項６または請求項７記載の番組情報検索システム。
【請求項９】
前記検索条件変更設定手段は、
番組の受信レベル情報に応じて前記検索条件を変更設定することを特徴とする請求項６から請求項８のうちのいずれか１項記載の番組情報検索システム。
【請求項１０】
前記検索条件変更設定手段は、
目標設定された経路情報に応じて前記検索条件を変更することを特徴とする請求項６から請求項９のうちのいずれか１項記載の番組情報検索システム。
【請求項１１】
番組情報を取得して記憶する番組情報記憶手段と、
所望の番組の検索条件が設定される検索条件設定手段と、
前記検索条件設定手段により設定された検索条件を記憶する検索条件記憶手段と、
接続される外部装置から前記検索条件を受信して前記検索条件設定手段に出力するか、前記外部装置に対して前記検索条件記憶手段に記憶された検索条件を送信する通信接続手段と、
システムの使用環境の変化を検出して前記番組情報記憶手段の検索を開始するタイミング信号を生成する検索トリガ生成手段と、
前記検索条件設定手段により設定される検索条件を前記検索条件記憶手段に送信し、前記検索トリガ生成手段により前記タイミング信号が生成されたことを契機に、前記検索条件記憶手段から読み出される検索条件に対応する番組を、前記番組情報記憶手段に記憶された番組情報中から検索する検索制御手段と、
前記検索制御手段による検索結果を外部に出力する検索結果出力手段と、
を備えた番組情報検索システム。
【請求項１２】
番組情報を取得し、記憶する番組情報記憶手段と、
所望の番組の検索条件を設定する検索条件設定手段と、
前記検索条件設定手段により設定された検索条件を記憶する検索条件記憶手段と、
接続される外部装置から前記検索条件を受信して前記検索条件設定手段に送信するか、前記外部装置に対して前記検索条件記憶手段に記憶された検索条件を送信する通信接続手段と、
システムの使用環境の変化を検出して前記番組情報記憶手段の検索を開始するタイミング信号を生成する検索トリガ生成手段と、
前記検索条件設定手段により設定される検索条件を前記検索条件記憶手段に送信し、前記検索トリガ生成手段により前記タイミング信号が生成されたことを契機に、前記検索条件記憶手段から読み出される検索条件に対応する番組を、前記番組情報記憶手段に記憶された番組情報中から検索する検索制御手段と、
前記検索制御手段から検索結果を取得し、前記検索条件に適合した番組に対応するチャンネルを受信チャンネルに設定する受信チャンネル設定手段と、
を備えた番組情報検索システム。
【請求項１３】
前記通信接続手段は、
システムの使用環境の変化を検出したことを契機に、前記接続された外部装置に対し、前記検索条件を送信することを特徴とする請求項１１または請求項１２記載の番組情報検索システム。
【請求項１４】
前記通信接続手段は、
システムの使用環境の変化を検出したことを契機に、前記接続された外部装置に対し、前記検索条件の送信を要求することを特徴とする請求項１１から請求項１３のうちのいずれか１項記載の番組情報検索システム。
【請求項１５】
前記通信接続手段は、
前記外部装置に対して、映像情報、音声情報の少なくとも一つを送信することを特徴とする請求項１１から請求項１４のうちのいずれか１項記載の番組情報検索システム。
【請求項１６】
前記通信接続手段は、
前記外部装置から、映像情報、音声情報の少なくとも一つを受信することを特徴とする請求項１１から請求項１５のうちのいずれか１項記載の番組情報検索システム。
【請求項１７】
システムの使用環境の変化を検出して前記検索条件記憶手段に記憶されている検索条件を変更設定する検索条件変更設定手段、
を備えたことを特徴とする請求項１１から請求項１６のうちのいずれか１項記載の番組情報検索システム。
【請求項１８】
前記検索制御手段によって検索された番組の視聴、もしくは録画を予約する番組予約手段、
を備えたことを特徴とする請求項１、請求項２、請求項１１、請求項１２のうちのいずれか１項記載の番組情報検索システム。
【発明の詳細な説明】
【技術分野】
【０００１】
この発明は、番組情報を取得可能な、特に、車載デジタル放送受信機やワンセグ対応携帯電話機等、移動体放送受信装置に用いて好適な、番組情報検索システムに関するものである。
【背景技術】
【０００２】
上記した移動体に搭載された放送受信機は、受信する地域により、同じ番組であってもチャンネルや放送開始時刻等が異なる場合があり、あるいは、ユーザが所望する番組をまったく受信できない場合があった。
【０００３】
上記した問題を解決するための技術は従来から多数提案されており、例えば、取得したプログラム情報に基づきその地域に適合した予約情報で番組予約することによって、異なる時間帯に番組が放送される場合でも、視聴または録画することができる技術が知られている（例えば、特許文献１参照）。
また、経路情報を取得し、経路上で視聴可能な番組の番組表をユーザに提供することにより、ユーザは視聴不可である番組を選局することを回避し、視聴可能な番組の番組表から所望する番組を選択することができる技術も知られている（例えば、特許文献２参照）。
【０００４】
【特許文献１】特開２００５−２４４４５７号公報
【特許文献２】特開２００５−２９４９６２号公報
【発明の開示】
【発明が解決しようとする課題】
【０００５】
しかしながら、上記した特許文献１に開示された技術によれば、ユーザによって指定された番組を受信可能なチャンネルが、取得したプログラム情報中にあるか否か検索するだけであり、したがって、検索にヒットしなければ何も行わず、結果的にユーザが所望の番組を視聴できないという問題があった。
また、特許文献２に開示された技術によれば、経路情報を取得し、経路上で視聴可能な番組の番組表をユーザに提供可能であるが、提供される番組表は、ユーザが所望しているものであるとは限らないため、ユーザが所望する番組を視聴するには不便であるという問題があった。
【０００６】
この発明は上記した課題を解決するためになされたものであり、あらかじめ検索条件を記憶しておき、現在位置や受信レベル等、システムの使用環境の変化に応じて生成される検索トリガ（適宜検索を開始させるためのタイミング信号）を契機に番組検索を行うことで、あるいは検索条件を変更して番組検索を行なうことで、ユーザが所望する最適な検索結果をユーザに提供することができる、番組情報検索システムを得ることを目的とする。
【課題を解決するための手段】
【０００７】
この発明に係る番組情報検索システムは、番組情報を取得して記憶する番組情報記憶手段と、所望の番組の検索条件が設定される検索条件設定手段と、検索条件設定手段により設定された検索条件を記憶する検索条件記憶手段と、システムの使用環境の変化を検出して番組情報記憶手段の検索を開始するタイミング信号を生成する検索トリガ生成手段と、検索条件設定手段により設定される検索条件を検索条件記憶手段に出力し、検索トリガ生成手段によりタイミング信号が生成されたことを契機に、検索条件記憶手段から出力される検索条件に対応する番組を、番組情報記憶手段に記憶された番組情報中から検索する検索制御手段と、検索制御手段による検索結果を外部に出力する検索結果出力手段と、を備えたものである。
【０００８】
この発明に係る番組情報検索システムは、番組情報を取得して記憶する番組情報記憶手段と、所望の番組の検索条件が設定される検索条件設定手段と、検索条件設定手段により設定された検索条件を記憶する検索条件記憶手段と、システムの使用環境の変化を検出して番組情報記憶手段の検索を開始するタイミング信号を生成する検索トリガ生成手段と、検索条件設定手段により設定される検索条件を検索条件記憶手段に出力し、検索トリガ生成手段によりタイミング信号が生成されたことを契機に、検索条件記憶手段から出力される検索条件に対応する番組を、番組情報記憶手段に記憶された番組情報中から検索する検索制御手段と、検索制御手段から検索結果を取得し、検索条件に適合した番組に対応するチャンネルを受信チャンネルに設定する受信チャンネル設定手段と、を備えたものである。
【０００９】
この発明に係る番組情報検索システムは、番組情報を取得して記憶する番組情報記憶手段と、所望の番組の検索条件が設定される検索条件設定手段と、検索条件設定手段により設定された検索条件を記憶する検索条件記憶手段と、接続される外部装置から検索条件を受信して検索条件設定手段に出力するか、外部装置に対して検索条件記憶手段に記憶された検索条件を送信する通信接続手段と、システムの使用環境の変化を検出して番組情報記憶手段の検索を開始するタイミング信号を生成する検索トリガ生成手段と、検索条件設定手段により設定される検索条件を検索条件記憶手段に出力し、検索トリガ生成手段によりタイミング信号が生成されたことを契機に、検索条件記憶手段から読み出される検索条件に対応する番組を、番組情報記憶手段に記憶された番組情報中から検索する検索制御手段と、検索制御手段による検索結果を外部に出力する検索結果出力手段と、を備えたものである。
【００１０】
この発明に係る番組情報検索システムは、番組情報を取得して記憶する番組情報記憶手段と、所望の番組の検索条件が設定される検索条件設定手段と、検索条件設定手段により設定された検索条件を記憶する検索条件記憶手段と、接続される外部装置から検索条件を受信して検索条件設定手段に出力するか、外部装置に対して検索条件記憶手段に記憶された検索条件を送信する通信接続手段と、システムの使用環境の変化を検出して番組情報記憶手段の検索を開始するタイミング信号を生成する検索トリガ生成手段と、検索条件設定手段により設定される検索条件を検索条件記憶手段に出力し、検索トリガ生成手段によりタイミング信号が生成されたことを契機に、検索条件記憶手段から読み出される検索条件に対応する番組を、番組情報記憶手段に記憶された番組情報中から検索する検索制御手段と、検索制御手段から検索結果を取得し、検索条件に適合した番組に対応するチャンネルを受信チャンネルに設定する受信チャンネル設定手段と、を備えたものである。
【発明の効果】
【００１１】
この発明によれば、あらかじめ検索条件を記憶しておき、現在位置や受信レベル等、システムの使用環境の変化に応じて生成される検索トリガ（適宜検索を開始させるためのタイミング信号）を契機に番組検索を行うことで、あるいは検索条件を変更して番組検索を行なうことで、ユーザが所望する最適な検索結果をユーザに提供することができる。
【発明を実施するための最良の形態】
【００１２】
実施の形態１．
図１は、この発明の実施の形態１に係る番組情報検索システムの構成を示すブロック図であり、ここでは、この発明の番組情報検索システムが実装される地上波デジタル放送受信装置１が例示されている。
図１に示されるように、地上波デジタル放送受信装置１は、主制御部１０と、アンテナ部１１と、チューナ部１２と、デコーダ部１３と、入力部１４と、メニュー生成部１５と、映像・音声出力部１６と、番組情報記憶部１７と、検索制御部１８と、検索条件記憶部１９と、現在位置検出部２０と、アンテナレベル情報記憶部２１と、経路情報取得部２２と、番組コンテンツ記憶部２３と、予約情報記憶部２４とにより構成される。
【００１３】
主制御部１０は、各種制御信号を生成して地上波デジタル放送受信装置１を構成する各ブロックの制御を司るものであり、詳細は後述する。
アンテナ部１１は、地上波デジタル放送によるテレビ放送信号を受信し、受信したテレビ放送信号をチューナ部１２へ出力する。チューナ部１２は、主制御部１０から出力されるチャンネル制御情報に基づいて、テレビ放送信号を高周波信号処理、復調処理等を行い、ＭＰＥＧ（Moving Picture Experts Group）データを生成してデコーダ部１３に出力する。チューナ部１２はまた、テレビ放送信号に含まれる番組情報を分離して主制御部１０へ出力するとともに、受信時の電界強度を測定して主制御部１０へ供給する。
【００１４】
デコーダ部１３は、チューナ部１２から出力されるＭＰＥＧデータの多重分離処理を行い、ＭＰＥＧ映像データ、ＭＰＥＧ音声データ、ＭＰＥＧ付加データに分離し、ＭＰＥＧ映像データ及びＭＰＥＧ音声データに復号処理を施すとともに、映像データと音声データを、映像・音声出力部１６に供給する。
入力部１４は、例えば、リモコンからの入力信号、およびマイクからの音声入力信号を取得し、入力情報として主制御部１０へ供給する。入力部１４はまた、ユーザ操作により入力された番組検索時のための検索条件を主制御部１０へ供給する。
【００１５】
一方、メニュー生成部１５は、主制御部１０により生成出力されるメニュー情報からメニューデータを生成し、映像・音声出力部１６へ出力する。映像・音声出力部１６は、デコーダ部１３により多重分離処理され出力される、あるいはメニュー生成部１５によって出力される映像データ、あるいはメニューデータから映像信号を生成し、また、デコーダ部１３により多重分離処理され出力される音声データから音声信号を生成し、図示せぬ表示モニタ、あるいはスピーカを介して出力（表示出力、音声出力）する。
なお、番組情報記憶部１７には、放送波中に付加された番組情報が主制御部１０によって書き込まれており、主制御部１０の要求に応じてその番組情報が読み出される。
【００１６】
主制御部１０により供給される、システムの使用環境の変化を検出することにより生成される番組情報記憶部１７の検索開始を指示するタイミング信号（以下、検索トリガという）に基づき、検索制御部１８は検索条件記憶部１９から出力される検索条件に対応する番組を、番組情報記憶部１７に記憶された番組情報中から検索し、主制御部１０を経由してメニュー生成部１５へ出力する。
なお、検索条件記憶部１９には、ユーザが入力部１４を介して設定入力した番組検索のための検索条件が記憶され、検索制御部１８からの要求に応じてその検索条件を出力する。アンテナレベルは、必ずしもチューナ部から計測されたものでなくても、他のシステムで計測したアンテナレベル情報を通信、ＵＳＢフラッシュメモリなどのポータブルデバイスで取得してもよい。
【００１７】
現在位置検出部２０は、例えば、ＧＰＳ（Global Positioning System）衛星からり電波を受信することにより、地上波デジタル放送受信装置１が搭載された移動体の現在位置を検出し、主制御部１０に供給する。アンテナレベル情報記憶部２１は、チューナ部１２により計測された、各受信地域における各チャンネルのアンテナレベル（受信レベル）情報を記憶し、要求に応じて主制御部１０に供給する。経路情報取得部２２は、移動体の移動予定経路情報を取得し、主制御部１０に供給する。
番組コンテンツ記憶部２３は、デコーダ部１３から出力された映像／音声データを主制御部１０経由で取得して記憶し、主制御部１０からの要求に応じて記憶した映像／音声データを出力する。予約情報記憶部２４は、入力部１４を介して取得される番組予約情報を記憶し、要求に応じて主制御部１０へ供給する。
【００１８】
図２は、この発明の実施の形態１に係る番組情報検索システムの動作を説明するために引用したフローチャートである。また、図３〜図１０は、上記した実施の形態１の動作を説明するために引用した図である。
以下、図２のフローチャート、および図３〜図１０を参照しながら、図１に示す実施の形態１の動作について詳細に説明する。
【００１９】
ここでは、システム（地上波デジタル放送装置１）の使用環境の変化に応じて番組検索を行なうものとして説明する。システムの使用環境の変化の具体例として、図３に示されるように、地上波デジタル放送受信装置１が、受信地域Ｒから受信地域Ｓに移動し、このときにアンテナレベルが変化したものと想定し、検索トリガが発生するものとして説明する。検索トリガは主制御部１０により生成される（ステップＳＴ２１“Ｙｅｓ”）。
受信地域Ｒにおいて、地上波デジタル放送受信装置１は、図４に示されるように、「放送局名」、「チャンネル」、「番組名」、「開始時刻」、「放送時間」、「ジャンル大分類」、「ジャンル中分類」、「詳細情報」を含む番組情報を、アンテナ部１１、チューナ部１２で受信した放送波からデコーダ部１３が分離して取得し、主制御部１０を経由して番組情報記憶部１７に記憶される。なお、国内の地上波デジタル放送では、１番組あたり最大７種類のジャンル情報を番組情報として送出可能とされており、ここでは、そのような番組情報をデジタル放送受信装置が取得することを想定している。また、詳細情報としては、番組の内容や出演者などの情報が文字列で送出されることを想定している。
【００２０】
まず、ユーザがリモコン等入力部１４を介し、例えば、図５に示すような、表示モニタに表示されたメニュー画面を操作し、番組ジャンルを「スポーツ」、放送時間を「放送中」、アンテナレベルを「受信可」と設定入力し、ここで設定された検索条件は、主制御部１０により取得され、検索条件記憶部１９に記憶される。このときの検索条件記憶部１９に記憶された検索条件は、図６に示されている。
なお、検索条件の設定は、上記したリモコンの他に、デジタル放送受信装置の前面バネルに実装されたボタン、タッチパネル、マイクなどの入力デバイスをユーザが操作することによっても可能とする。
【００２１】
また、設定可能な検索条件としては、「番組名」、「ジャンル」、「放送時間」、「アンテナレベル」、「キーワード」等を想定しており、「番組名」および「キーワード」は、ユーザがソフトウェアキーボード等を利用して文字列で設定可能とし、設定された文字列が、それぞれ取得した番組情報中の番組名、および詳細情報の一手段と合致するような番組を検索し、ジャンルは、「ニュース／報道」、「スポーツ」、「バラエティ」、「国内ドラマ」等の選択肢から、放送時刻は、「放送中」、「もうすぐ放送開始」、「２時間以内に放送開始」等の選択肢から選択できるものとし、また、アンテナレベルは、「受信良好」、「受信可」、「もうすぐ受信可」等の選択肢から選択できるものとする。
更に、それぞれ設定された条件にて当てはまるような番組を検索できるものとする。また、それぞれの検索条件には、「指定しない」という選択肢を含むものとする。なお、番組検索条件としては、「番組識別番号」、「放送局」、「放送時間」等を設定し、検索可能としても良い。
【００２２】
主制御部１０は、検索条件記憶部１９を参照することにより検索条件が設定されていると判定すると（ステップＳＴ２２“Ｙｅｓ”）、番組情報を取得する（ステップＳＴ２３）。
このとき、主制御部１０は、現在位置検出部２０が、移動体に搭載された地上波デジタル放送受信装置１の現在位置を検出することで、現在位置が受信地域Ｒであることを検出し、アンテナレベル情報記憶部２１に記憶されたアンテナレベル情報から、受信地域Ｒにおいて受信可能な番組情報を取得する。受信地域Ｒにおいて受信可能な番組情報の一例は、図７に示されている。
【００２３】
アンテナレベル情報を考慮した番組情報は、図８のように表現することができる。ここで、アンテナレベル（受信レベル）は、アンテナ部１１において受信した放送波の電界強度を元に算出した値であり、ここでは、８０以上であれば受信良好、６０以上８０未満であれば受信可、３０以上６０未満であれば受信困難、３０未満であれば受信不可であるとみなすことのできる値であるとする。また、ここでは、アンテナレベルを、アンテナレベル情報記憶部２１から取得することを想定しているが、アンテナ部１１で受信中のデジタル放送波の電界強度を用い、リアルタイムでアンテナレベルを算出してもよく、この場合、より正確なアンテナレベルを取得することができる。
【００２４】
その後、主制御部１０は検索制御部１８を起動し、検索制御部１８は、取得した番組情報を設定された検索条件にしたがい番組検索を開始する（ステップＳＴ２４）。
ここで、現在時刻が２０：１０であるとすれば、図９に示されるように、ジャンルが「スポーツ」に関連するものであり、かつ、２０：１０の時点で「放送中」であり、アンテナレベルが「受信可」以上であるような番組のみを絞り込み（ステップＳＴ２５“Ｙｅｓ”）、例えば、図１０に示すような、ユーザが所望する番組の一覧表をメニュー出力部１５により生成し、映像・音声出力部１６に出力して図示せぬ表示モニタ上に表示する（ステップＳＴ２６）。ここでは、ジャンル一致度の高い順に順位付けした検索結果をユーザに提供することで、ユーザが所望の番組を見つけやすくし、利便性を高めている。なお、絞込みが不完全の場合は（ステップＳＴ２５“Ｎｏ”）、検索条件を変更して再度番組検索を行なう（ステップＳＴ２７）。
【００２５】
上記した実施の形態１によれば、システムの使用環境の変化（ここでは現在位置情報の変化）に応じ、番組情報更新時等にあらかじめ記憶しておいた検索条件にしたがい番組検索を行い、ユーザ所望の番組一覧を出力することにより、ユーザに利便性を提供することができる。
【００２６】
上記した説明から明らかなように、図１に示す番組情報記憶部１７は、「番組情報を取得して記憶する番組情報記憶手段」に、入力部１４と主制御部１０は、「所望の番組の検索条件を設定する検索条件設定手段」に、検索条件記憶部１９は、「検索条件設定手段により設定された検索条件を記憶する検索条件記憶手段」に、現在位置検出部２０（または、後述するアンテナレベル情報記憶部２１、経路情報取得部２２の少なくとも一つ）と主制御部１０は、「システムの使用環境の変化を検出して番組情報記憶手段の検索を開始するタイミング信号を生成する検索トリガ生成手段」に、それぞれ相当する。
また、検索制御部１８と主制御部１０は、「検索条件設定手段により設定される検索条件を検索条件記憶手段に送信し、検索トリガ生成手段により当該タイミング信号が生成されたことを契機に、検索条件記憶手段から読み出される検索条件に対応する番組を、番組情報記憶手段に記憶された番組情報中から検索する検索制御手段」に、メニュー生成部１５は、「検索制御手段による検索結果を外部に出力する検索結果出力手段」にそれぞれ相当する。
【００２７】
実施の形態２．
上記した実施の形態１によれば、番組情報の検索後、図示せぬ表示モニタへ、例えば図１０に示す検索結果一覧を表示している。このとき、単に検索結果一覧を表示するだけではなく、この検索結果一覧の中からユーザが視聴したい番組の選択を促し、ユーザが、方向ボタンや決定ボタン、あるいはタッチパネルや、音声入力等、入力部１４を操作することでチャンネル選局を可能とすれば、絞り込まれた番組を容易に選局することができ、一層、ユーザに利便性を提供することができる。
以下に説明する実施の形態２において、デジタル放送受信装置の構成は、図１に示す実施の形態１と同じ構成を用いるものとするが、「検索制御手段から検索結果を取得し、検索条件に適合した番組に対応するチャンネルを受信チャンネルに設定する受信チャンネル設定手段」としての主制御部１０の処理内容のみ異なる。
【００２８】
図１１は、この発明の実施の形態２に係る番組情報検索システムの動作を説明するために引用したフローチャートである。ここでは、番組検索結果を利用したチャンネル選局動作が示されている。
図１１のフローチャートにおいて、主制御部１０は、まず、検索結果一覧通知の設定有無を判定する（ステップＳＴ１１１）。ここで、設定されていなければ（ステップＳＴ１１１“設定なし”）、検索条件一致度の最も高い番組を選択する（ステップＳＴ１１２）。続いて、検索結果通知設定の有無を判定し（ステップＳＴ１１３）、通知ありの場合（ステップＳＴ１１３“通知あり”）、主制御部１０は、メニュー生成部１５を起動し、映像・音声出力部１６を介して図示せぬ表示モニタに、例えば、図１２に示されるテロップ（チャンネル切替えをユーザに確認するための画面）を表示する（ステップＳＴ１１４）。
【００２９】
主制御部１０は、ユーザが入力部１４を操作することにより生成されるチャンネル切替え指令を待って（ステップＳＴ１１５“Ｙｅｓ”）、チューナ部１２を制御し、チャンネル切替えを実行する（ステップＳＴ１１６）。
なお、ステップＳＴ１１３の処理において、通知設定なしと判定された場合も自動でチャンネル切替えを実行する（ステップＳＴ１１６）。
【００３０】
一方、ステップＳＴ１１１の処理において、検索結果一覧通知の設定がなされていた場合（ステップＳＴ１１１“設定あり”）、主制御部１０は、実施の形態１同様、ユーザが所望する番組の一覧表をメニュー生成部１５により生成し、映像・音声出力部１６に出力して図示せぬ表示モニタ上に表示する（ステップＳＴ１１７）。
そして、ユーザが入力部１４を操作することにより生成されるチャンネル切替え指令を待って（ステップＳＴ１１８“あり”）、チューナ部１２を制御し、チャンネル切替えを実行する（ステップＳＴ１１６）。
【００３１】
上記したように、検索された番組中で、検索一致度の最も高い番組を自動的にチャンネル選局可能とすれば、番組発見後、ユーザは、地上波デジタル放送受信装置１を操作することなしに、即座に番組を視聴できる。また、番組発見時に、図１２に示すような番組検索確認テロップを表示することで、一度、ユーザに番組発見を通知し、ユーザが「視聴する」を選択した場合にのみチャンネル選局を行うようにすれば、ユーザが所望しない番組の自動選局を回避できる。
また、どのような方法を用いた場合でも、チャンネル選局後には、検索結果一覧や番組視聴確認テロップなどの表示を非表示とすれば、ユーザの番組視聴は妨げないが、ユーザの操作に応じて検索結果一覧や番組視聴確認テロップなどを表示し、ユーザが視聴したい番組を選択可能とすることで、一度選局した番組がユーザにとって好ましくない番組であった場合でも、他の発見番組をユーザが容易に選局可能となる。その場合、ユーザの操作に応じて番組情報を再検索するなど、常に最新の検索結果を表示できるようにすると、ユーザにとって更に望ましい。
【００３２】
更に、チャンネル選局後に、検索一致度の降順、または昇順等、順序に従って、方向ボタンの下を押すと検索一致度の降順で次の番組を選択し、方向ボタンの上を押すと検索一致度の昇順で次の番組を選択するといったように、ユーザが簡単な操作で容易にチャンネル切替えができるようにすれば、チャンネル切替えのためにテロップ等を表示してユーザの番組視聴を防げることを回避できる。
【００３３】
図１３にそのための主制御部１０による処理の内容がフローチャートで示されている。図１３のフローチャートにおいて、主制御部１０は、まず、ユーザによる検索結果表示操作の有無を判定する（ステップＳＴ１３１）。
ここで、入力部１４を介した検索結果表示操作が無ければ（ステップＳＴ１３１“Ｎｏ”）、主制御部１０は、更に、上記した検索結果一致度順選局操作の有無を判定し（ステップＳＴ１３２）、検索結果一致度順選局操作があった場合、主制御部１０は、チューナ部１２を制御してチャンネル選局を行ない（ステップＳＴ１３３）、無ければ（ステップＳＴ１３２“Ｎｏ”）、ステップＳＴ１３１の処理に戻る。一方、ステップＳＴ１３１の処理において、主制御部１０は、ユーザによる検索結果表示操作があれば（ステップＳＴ１３１“Ｙｅｓ”）、更に、ユーザによるチャンネル選局操作を待ち（ステップＳＴ１３４“Ｙｅｓ”）、チューナ部１２を制御してチャンネル選局を行なう（ステップＳＴ１３３）。ユーザによるチャンネル選局操作がなければ（ステップＳＴ１３４“Ｎｏ”）、主制御部１０は、メニュー生成部１５、映像・音声出力部１６を制御して検索結果を非表示とする（ステップＳＴ１３５）。
【００３４】
上記した実施の形態２によれば、番組情報更新時等にあらかじめ記憶しておいた検索条件に従い番組情報の検索を行い、発見された番組に受信チャンネルを切替えることで、ユーザに一層の利便性を提供することができる。
なお、上記した説明から明らかなように、主制御部１０とチューナ部１２とは、「検索制御手段から検索結果を取得し、検索条件に適合した番組に対応するチャンネルを受信チャンネルに設定する受信チャンネル設定手段」に相当する。他は、実施の形態１と同様である。
【００３５】
また、主制御部１０は、放送時刻を監視し、放送時刻になったらユーザが番組を視聴できるように自動的に視聴予約し（予約情報記憶部２４に記憶）、あるいは、番組コンテンツ記憶部２３に、番組を自動録画しておき、ユーザが、後に番組を視聴したいときに視聴できるようにすればユーザにとって更に望ましい。
なお、番組を録画する場合、番組コンテンツ記憶部２３の代替として、図１４に示す、デジタル放送受信装置（映像・音声出力部１６）に接続された番組録画装置３０を利用しても良い。
【００３６】
上記したように、番組予約手段としての主制御部１０は、番組コンテンツ記憶部２３、もしくは番組録画装置３０を用い、検索制御部１８によって検索された番組の視聴もしくは録画を予約することで、自動的に番組視聴、あるいは録画の予約が可能であり、現在位置の変化に影響されない視聴あるいは録画が可能になる。
【００３７】
なお、上記した実施の形態１、実施の形態２では、現在位置の変化に応じて番組検索を行う場合を例示して説明した。具体的には、図３に示されるように、地上波デジタル放送受信装置１が受信地域Ｒから受信地域Ｓに移動した場合、現在位置検出部２０が現在位置を検出し続けることで、主制御部１０は、移動体が受信地域Ｒから受信地域Ｓに移動したことを検出することができた。
主制御部１０は、受信地域が変化したことから検索トリガを生成して検索制御部１８を起動し、アンテナレベル情報記憶部２１に記憶されたアンテナレベル情報から、例えば、図１５に示すように、受信地域Ｓにおいて受信可能なチャンネル情報を取得する。ここで、アンテナレベル情報として、各チャンネルの系列局情報が含まれていると、例えば、系列局の番組が検索条件に適合した場合、Ｊ１のアンテナレベルが受信可であるのに対してＪ２のアンテナレベルが受信良好であるため、Ｊ２を検索結果としてユーザに通知し、Ｊ１は通知しない、といったように同一系列局の番組が複数発見された場合に、検索結果をアンテナレベルの高いチャンネルだけに絞り込むことができる。
【００３８】
一方、受信地域Ｓにおいてアンテナレベルを考慮した番組情報が図１６に例示されている。ここでは、同一系列局の放送局が複数受信可能な場合は、アンテナレベルの高いチャンネルの番組情報のみを抽出している。なお、同一系列局の同一時間帯でも異なる番組が放送されている場合も考えられるので、異なる番組が放送されている時間帯に関しては、すべての番組の番組情報を抽出することが望ましい。
ここで、現在時刻が２０：１０であり、図６に示す検索条件で番組検索を行った場合の検索結果は、図１７（受信地域Ｓにおいて検索条件により絞り込まれた番組情報）に示すようになり、図１８（受信地域Ｓにおける検索結果の画面表示例）のように表示することができる。このように、受信地域を移動して視聴可能な番組が変化した場合でも、位置情報の変化に応じて再検索を行うことで、移動後の受信地域において視聴可能な番組を検索することができる。
【００３９】
ここで、Ｆテレビの番組ＹＹＹＹは、地上波デジタル放送受信装置１が搭載された移動体が、受信地域Ｒに属する地点に存在する時点では、番組情報は取得していたものの、アンテナレベルが受信困難であるために図６に示す検索条件には適合せず、検索結果としてユーザに通知されることはない。しかしながら、移動体が、受信地域Ｓに移動すると、アンテナレベルが受信可となるために、検索結果に合致し、ユーザに通知されることになる。
このとき、主制御部１０が、経路情報を経路情報取得部２２からあらかじめ取得しておき、図１９に示すように、現在位置検出部２０が、移動体の現在位置が受信地域Ｓに近づいていることを検出したときに、検索条件記憶部１９に記憶された検索条件を、アンテナレベルを図２０に示すように「受信可」から「もうすぐ受信可」に変更すれば（ａ→ｂ）、ユーザが所望する番組の１つである番組ＹＹＹＹを検索結果一覧から選択できるようになる。
【００４０】
また、ユーザが選択した場合、受信地域Ｒに属する地点に存在する間は受信困難であるが、受信地域Ｓに移動した以降は受信可となるため、番組視聴のためにはそれほど支障なく、ユーザは所望する番組を視聴することができる。なお、このとき、検索条件の変更を一時的なものとし、受信地域Ｓに移動して以降はユーザが設定した元の検索条件に自動的に再変更すると、ユーザが検索条件を元の設定した条件に戻す手間を省略することができる（ｃ）。
【００４１】
上記したように、主制御部１０は、現在位置、経路情報等、デジタル放送受信装置１の使用環境変化に応じて、検索条件記憶部１９に記憶された検索条件を変更することにより、より適切な検索結果を出力することができ、常に最適な検索結果をユーザに提示することができる。
なお、上記した説明から明らかなように、主制御部１０は、現在位置検出部２０、経路情報取得部２２と協働することで、「システムの使用環境の変化を検出して検索条件記憶手段（検索条件記憶部１９）に記憶されている検索条件を変更設定する検索条件変更設定手段」として機能する。
【００４２】
なお、現在位置情報の代替として、アンテナレベルの変化に応じて番組検索を行なうことも可能である。すなわち、現在位置の変化に応じて検索トリガを発生させ、検索条件を変化して検索を行うのではなく、図２１に示されるように、主制御部１０がチューナ部１２を介しリアルタイムでアンテナレベル（受信レベル）を取得することによりアンテナレベルの変化を予測し、検索制御部１８が検索トリガを発生させることで、検索条件を変化（アンテナレベル「受信可」→「もうすぐ受信可」）させて検索を行う方法も有効である（ａ、ｂ）。この場合、アンテナレベルが一定の範囲で安定したならば、検索条件を元に戻すことで（ｃ）、検索条件がユーザの設定とことなる条件に頻繁に変更されることを防ぎ、ユーザが検索条件を元の設定した条件に戻す手間を省略することができる。
このように、移動体における放送受信では位置や天候などによって各チャンネルのアンテナレベルが異なるが、アンテナレベル情報の更新に応じて番組検索を行うことで、常に最適な検索結果をユーザに提供することができる。
【００４３】
また、ユーザが経路設定を変更し、あるいは、経路を外れたりすることによって、経路情報が再設定された場合、主制御部１０が経路情報の変化を検出し、検索制御部１８が検索トリガを発生させ、必要に応じて検索条件を変化して、検索を行うこともできる。
このように、移動体における放送受信では移動経路によって走行中の受信状況が異なるが、経路情報の項新に応じて番組検索を行うことで、常に最適な検索結果をユーザに提供することができる。
【００４４】
更に、番組検索の結果、ユーザが所望する番組が１件も見つからない可能性もある。その場合、検索結果通りにユーザに通知する方法も有効であるが、検索条件の放送時刻条件を「放送中」から「もうすぐ放送開始」に変更する等、検索条件を自動的に変更して再検索することで、ユーザの操作により検索条件を再設定させることなく、ユーザが所望する番組に近い番組情報をユーザに提供することができる。
このように、入力される検索結果に応じて検索条件を変更することにより、例えば、検索結果の数を調整し、放送時刻の検索範囲を絞り込み、地上波デジタル放送、ＢＳ（Broadcasting Satellite）／ＣＳ（Communication Satellite）放送、ラジオなどの異なる放送波の番組情報から検索するように範囲を広げることで、常に最適な検索結果をユーザに提供することができる。
【００４５】
また、山間の道路を移動中や悪天候の日などには、アンテナ部１１における放送波受信時の電界強度（受信レベル）が弱く、受信優良と判定されるチャンネルが見つからない可能性がある。
そこで、主制御部１０は、アンテナ部１１を介して取得したアンテナレベル情報が、アンテナレベル情報記憶部２１に記憶されたアンテナレベル情報と比較し、低下していることを検出したならば、検索条件のアンテナレベル条件を、「受信優良」から「受信可」に変更する等、検索条件を自動的に変更して再検索することで、ユーザの操作により検索条件を再設定させることなく、ユーザが所望する番組に近い番組情報をユーザに提供することができる。このとき、検索条件変更履歴を記憶しておき、その後受信状況が回復した場合に、検索条件のアンテナレベル条件を、「受信可」から「受信優良」に自動的に再変更できるようにすればユーザにとって更に望ましい。
【００４６】
このように、移動体における放送波受信では、各チャンネルのアンテナレベルによって受信可能な番組が異なるため、アンテナレベル情報に応じて受信可能なチャンネルの番組を検索することで、常に最適な検索結果をユーザに提供することができる。
【００４７】
実施の形態３．
上記した実施の形態１、２では、デジタル放送受信装置１単体で番組検索を行っていたが、他の地上波デジタル放送受信装置とインターネット等の通信網を介して接続することで、他の地上波デジタル放送受信装置で番組検索を行うことができれば、ある地上波デジタル放送受信装置での受信が困難な環境でも放送受信が可能となり、ユーザにとっては望ましい。
【００４８】
図２２は、この発明の実施の形態３に係る番組情報検索システムの接続構成の一例を示す図である。ここでは、地上波デジタル放送受信装置Ａ（１０１）と、地上波デジタル放送受信装置Ｂ（１０２）とが、インターネット（ＩＰ網：Internet Protocol）３経由で接続されている。地上波デジタル放送受信装置Ａ（１０１）と、地上波デジタル放送受信装置Ｂ（１０２）はともに、インターネット３とは、インターネット接続装置２であるインターネット接続装置Ａ（２０１）と、インターネット接続装置Ｂ（２０２）を介して接続されている。
【００４９】
なお、ここでは、地上波デジタル放送受信装置Ａ（１０１）、アンテナＡ、およびインターネット接続装置Ａ（２０１）を、移動体における地上波デジタル放送受信装置およびアンテナおよび通信接続装置とし、デジタル放送受信装置Ｂ（１０２）、アンテナＢ、およびインターネット接続装置Ｂ（２０２）を家庭などの固定位置に設置された地上波デジタル放送受信装置とするが、地上波デジタル放送受信装置Ａ（２０１）を固定しても構わないし、同様に、地上波デジタル放送受信装置Ｂ（１０２）が移動しても構わない。
また、ここでは、インターネット接続装置Ａ（２０１）として、インターネット３に接続可能な携帯電話のような持ち運び可能な通信デバイスを想定しているが、地上波デジタル放送受信装置Ａ（１０１）に備え付けのものを用いても構わない。地上波デジタル放送受信装置Ａ（１０１）と携帯電話のような通信接続装置との接続は、専用線を介し、あるいはブルートゥース（登録商標）等の無線技術を利用することで可能である。また、インターネット接続装置Ｂ（２０２）にはブロードバンドルータのようなハードウェアを想定しており、常時インターネットに接続可能であることを想定している。
【００５０】
更に、高速無線通信接続可能な地上波デジタル放送受信装置Ａ（１０１）が、室内や路側帯などに設置されたアクセスポイントなどのインターネット接続装置Ａ（２０１）と、ＩＥＥＥ８０２のような高速無線通信規格で通信接続し、インターネット接続装置Ａ（２０１）を経由してインターネット３に接続することで、インターネット接続装置Ｂ（２０２）および地上波デジタル放送受信装置Ｂ（１０２）を高速通信可能となるようにすれば、地上波デジタル放送受信装置Ａ（１０１）、地上波デジタル放送受信装置Ｂ（１０２）間で、映像／音声データなどの大容量データを伝送可能となる。
【００５１】
また、地上波デジタル放送受信装置Ａ（１０１）での番組視聴率中に放送受信が困難となった場合に、自動的に番組視聴の受信源を地上波デジタル放送受信装置Ｂ（１０２）に切り替え、地上波デジタル放送受信装置Ｂ（１０２）で受信した番組をユーザに提供することで、ユーザは、地上波デジタル放送受信装置Ａ（１０１）での放送受信状況を意識することなく、所望する番組を視聴できるようになる。更に、地上波デジタル放送受信装置Ｂ（１０２）が設置された室内において持ち運び可能な地上波デジタル放送受信装置Ａ（１０１）で番組を視聴する場合など、地上波デジタル放送受信装置Ａ（１０１）、地上波デジタル放送受信装置Ｂ（１０２）間の距離がそれほど大きくない場合、これらの間を、インターネット接続装置Ａ（２０１）、インターネット接続装置Ｂ（２０２）ではなく、無線ＬＡＮ（Local Area Network）接続装置などの無線通信接続装置を用い、無線通信で接続しても、上記と同様の効果が得られる。
【００５２】
図２３は、図２２に示す地上波デジタル放送受信装置Ａ（１０１）と、インターネット接続装置Ａ（２０１）の内部構成を示すブロック図である。
図２３に示されるように、地上波デジタル放送受信装置Ａ（１０１）の構成は、外部装置接続部２５が付加されている点を除き、図１に示す実施の形態１と同様である。外部装置接続部２５は、ここでは、「接続される外部装置（インターネット接続装置２）から検索条件を受信して検索条件記憶手段（検索条件記憶部１９）に送信するか、外部装置に対して検索条件記憶部手段に記憶された検索条件を送信する通信接続手段」として機能する。
【００５３】
外部装置接続部２５は、具体的には、デコーダ部１３から出力された映像／音声データや、予約情報記憶部２４から出力される予約情報、検索条件記憶部１９から出力され、検索制御部１８を経由して主制御部１０に送信された検索条件などを主制御部１０経由で取得し、インターネット接続装置２へ送信する。また、インターネット接続装置２を介して送信された映像／音声データや、予約情報、検索条件などを受信し、主制御部１０へ転送する。
【００５４】
外部装置として地上波デジタル放送受信装置Ａ（１０１）に接続されるインターネット接続装置２は、外部装置接続部２６と、インターネット接続部２７とにより構成される。
外部装置接続部２６は、地上波デジタル放送受信装置Ａ（１０１）の外部装置接続装置２５から送信された映像／音声データや予約情報、あるいは検索条件等を受信し、インターネット接続部２７に送信する。また、インターネット接続部２７を介して受信された映像／音声データや予約情報、検索条件などを受付け、地上波デジタル放送受信装置Ａ（１０１）の外部装置接続部２５へ転送する。
一方、インターネット接続部２７は、インターネット３と接続され、外部装置接続部２６を介して出力された映像／音声データや予約情報、検索条件などを受付け、インターネット３に接続された地上波デジタル放送受信装置Ｂ（１０２）等（不図示）に送信する。また、インターネット３に接続されたデジタル放送受信装置等から送信される映像／音声データや予約情報、検索条件などを受信し、外部装置接続部２６を経由して地上波デジタル放送受信装置Ａ（１０１）へ送信する。
【００５５】
図２４は、この発明の実施の形態３に係る番組情報検索システムの動作を説明するために引用したフローチャートである。
以下、図２４に示すフローチャートを参照しながら、番組検索条件や受信可能な番組情報、映像／音声データ等を、外部装置（デジタル放送受信装置Ｂ）に送信し、受信可能な番組検索を行う場合の処理内容について詳細に説明する。
【００５６】
ここでは、番組検索時に、番組を受信するアンテナ部１１、番組情報を検索する検索制御部１８、受信番組を表示モニタに出力する映像・音声出力部１６を設定できるものとする。このことにより、地上波デジタル放送受信装置Ａ（１０１）のアンテナＡでの受信が困難な環境でも、番組の受信源を地上波デジタル放送受信装置Ｂ（１０２）のアンテナＢに切替えて、地上波デジタル放送受信装置Ｂ（１０２）で受信した番組を地上波デジタル放送受信装置Ａ（１０１）で視聴することができる。
すなわち、図２４において、地上波デジタル放送受信装置Ａ（１０１）の主制御部１０は、番組検索にあたり、検索条件設定の有無を判定する（ステップＳＴ２４１）。ここで、設定ありと判定された場合（ステップＳＴ２４１“Ｙｅｓ”）、更に、外部装置である地上波デジタル放送受信装置Ｂ（１０２）の検索制御部１８で番組検索するか（ステップＳＴ２４２）、地上波デジタル放送受信装置Ｂ（１０２）のアンテナで放送を受信するか（ステップＳＴ２４３）、地上波デジタル放送受信装置Ｂ（１０２）の映像・音声出力部１６で映像・音声を出力するように設定されているかを判定する（ステップＳＴ２４４）。
【００５７】
ステップＳＴ２４２の処理で、外部装置である地上波デジタル放送受信装置Ｂ（１０２）の検索制御部１８で番組検索すると設定されていた場合（ステップＳＴ２４２“Ｙｅｓ”）、受信可能な番組情報、および検索条件を、外部装置接続部２５、インターネット接続装置２、インターネット３経由で外部装置である地上波デジタル放送受信装置Ｂ（１０２）へ送信し（ステップＳＴ２４６、ＳＴ２４７）、設定されていなければ（ステップＳＴ２４２“Ｎｏ”）、ステップＳＴ２４３の処理に進む。
【００５８】
また、ステップＳＴ２４３の処理において、外部装置である地上波デジタル放送受信装置Ｂ（１０２）のアンテナで放送を受信すると設定されていた場合（ステップＳＴ２４３“Ｙｅｓ”）、検索条件を、外部装置接続部２５、インターネット接続装置２、インターネット３経由で外部装置である地上波デジタル放送受信装置Ｂ（１０２）へ送信し（ステップＳＴ２４７）、設定されていなければ（ステップＳＴ２４３“Ｎｏ”）、ステップＳＴ２４４の処理に進む。ステップＳＴ２４４の処理において、外部装置である地上波デジタル放送受信装置Ｂ（１０２）の映像・音声出力部１６で映像・音声を出力するように設定されていれば（ステップＳＴ２４４“Ｙｅｓ”）、映像・音声データを外部装置接続部２５、インターネット接続装置２、インターネット３経由で外部装置である地上波デジタル放送受信装置Ｂ（１０２）へ送信し（ステップＳＴ２４５）、設定されていなければ（ステップＳＴ２４４“Ｎｏ”）、処理を終了する。
【００５９】
例えば、ユーザが移動時、地上波デジタル放送受信装置Ａ（１０１）を携行しており、放送中で、シャンルが「スポーツ」である番組を視聴する場合、地上波デジタル放送受信装置Ａ（１０１）単独で番組検索を行う場合は、図２５に示すように、検索条件Ａとして、番組名、ジャンル、放送時間、アンテナレベル、キーワードの他に、アンテナ部１１として「アンテナＡ」、検索制御部１８として「検索制御部Ａ」、映像・音声出力部１６として「出力部Ａ」という検索条件Ａを、地上波デジタル放送受信装置Ａ（１０１）の検索条件記憶部１９に記憶しておく。
【００６０】
ここで、地上波デジタル放送受信装置Ａ（１０１）の検索条件記憶部１０９に記憶されている検索条件Ａと、デジタル放送を受信するアンテナ部１１と、受信した映像・音声が出力される映像・音声出力部１６の関係は、図２６のように表現することができる。
なお、ここで、検索条件として、チューナ部１２やデコーダ部１３についても、いずれの地上波デジタル放送受信装置を用いるかを設定できるようにすれば、複数の地上波デジタル放送受信装置間において、更に詳細な制御が可能となる。
【００６１】
ここで、地上波デジタル放送受信装置Ａ（１０１）の受信状況が悪化し、受信困難となった場合、検索条件変更トリガを発生させ、図２７に示すように、検索条件Ａのアンテナ部１１および検索制御部１８を、それぞれ「アンテナＢ」、「検索制御部Ｂ」のように変更する（ａ）。このとき、地上波デジタル放送受信装置Ａ（１０１）は、検索条件送信トリガを発生し（ｂ）、検索条件Ａを「検索制御部Ｂ」を持つ地上波デジタル放送受信装置Ｂ（１０２）へ送信する。地上波デジタル放送受信装置Ｂ（１０２）では、受信した検索条件Ａと同一の検索条件を検索条件Ｂとして検索条件記憶部１９に設定し（ｃ）、「アンテナＢ」で受信可能な番組の番組検索を行い、地上波デジタル放送受信装置Ｂ（１０２）における受信可能番組の検索結果を、「出力部Ａ」を持つ地上波デジタル放送受信装置Ａ（１０１）に送信する。
【００６２】
このとき、発見された該当番組が放送中である場合、発見番組の映像・音声データを、「出力手段Ａ」を持つ地上波デジタル放送受信装置Ａ（１０１）に送信できるものとすれば、地上波デジタル放送受信装置Ａ（１０１）で番組視聴中に受信状況が悪化し、受信困難となった場合に、地上波デジタル放送受信装置Ａ（１０１）から地上波デジタル放送受信装置Ｂ（１０２）に対して、番組名や番組の識別番号など、従前の番組を特定可能な番組検索条件を送信して番組検索を行う。
ここで、番組が発見されれば、図２７に示すように、アンテナＢにおいて受信した番組の映像・音声データを、インターネット３を経由して地上波デジタル放送受信装置Ａ（１０１）の映像・音声出力部１６に送信することで（ｄ）、ユーザは、地上波デジタル放送受信装置Ａ（１０１）の受信状況の悪化に関わらず、特別な操作の必要なしに、従前の視聴番組と同一な内容の番組の視聴を継続することができる。
【００６３】
なお、地上波デジタル放送受信装置Ａ（１０１）、地上波デジタル放送受信装置Ｂ（１０２）間で、検索条件や映像・音声データの他に、取得可能な番組情報等の情報をインターネット３経由で送受信可能とすれば、複数の地上波デジタル放送受信装置で受信可能な番組中から、ユーザが所望する番組を選択して視聴することができる。
【００６４】
上記した実施の形態３によれば、外部装置（地上波デジタル放送受信装置Ｂ）からの要求に応じて受信番組を録画し、あるいは外部装置に送信し、更には外部装置にあらかじめ記憶された検索条件を取得することで番組検索が可能になる。また、外部装置へ検索条件を送信して、外部装置で受信した放送番組を通信により取得し、あるいは外部装置に番組録画を要求することができる。
更に、システムの環境変化に応じて検索条件を外部へ送信することにより、外部装置で受信した放送番組を通信により取得し、あるいは外部装置に番組録画を要求することができる。また、環境変化に応じて検索条件を外部から受信することで、特に、車載用の地上波デジタル放送受信装置の電源供給時に、通信により家庭用の地上波デジタル放送受信装置において設定した検索条件を受信して、同一検索条件を、車載用の地上波デジタル放送受信装置に設定することができる。
【００６５】
また、受信が安定している等の条件が整っている場合のみ、映像・音声データを外部装置（地上波デジタル放送受信装置Ｂ）に送信することで、ノイズの多い映像や音声データ等、ユーザが所望しない映像・音声データの送信を防ぐことができる。
更に、移動体における地上波デジタル放送受信において、受信が困難である場合には受信源を切替え、家庭用放送受信装置などの受信環境が安定した地上波デジタル放送受信装置Ｂ（１０２）から、通信により映像・音声データを送信してもらうことにより安定した組視聴が可能となる。
【００６６】
なお、上記した説明から明らかなように、実施の形態３において、番組情報記憶部１７は、「番組情報を取得して記憶する番組情報記憶手段」に、入力部１４と主制御部１０は、「所望の番組の検索条件を設定する検索条件設定手段」に、検索条件記憶部１９は、「検索条件設定手段により設定された検索条件を記憶する検索条件記憶手段」に、主制御部１０と外部装置接続部２５は、「接続される外部装置から検索条件を受信して検索条件設定手段に出力するか、外部装置に対して検索条件記憶手段に記憶された検索条件を送信する通信接続手段」に、現在位置検出部２０、アンテナレベル情報記憶部２１、経路情報取得部２２の少なくとも一つと主制御部１０は、「システムの使用環境の変化を検出して番組情報記憶手段の検索を開始するタイミング信号を生成する検索トリガ生成手段」にそれぞれ相当する。
また、検索制御部１８と主制御部１０は、「検索条件設定手段により設定される検索条件を検索条件記憶手段に送信し、検索トリガ生成手段により当該タイミング信号が生成されたことを契機に、検索条件記憶手段から読み出される検索条件に対応する番組を、番組情報記憶手段に記憶された番組情報中から検索する検索制御手段」に、メニュー生成部１５は、「検索制御手段による検索結果を外部に出力する検索結果出力手段」に、また、主制御部１０とチューナ部１２とは、「検索制御手段から検索結果を取得し、検索条件に適合した番組に対応するチャンネルを受信チャンネルに設定する受信チャンネル設定手段」にそれぞれ相当する。
【００６７】
なお、地上波デジタル放送受信装置Ａ（１０１）のアンテナＡでの受信が困難な環境で、番組の受信源を地上波デジタル放送受信装置Ｂ（１０２）のアンテナＢに切替えた後、地上波デジタル放送受信装置Ｂ（１０２）で受信した番組の映像・音声データを、地上波デジタル放送受信装置Ａ（１０１）ではなく、地上波デジタル放送受信装置Ｂ（１０２）に搭載された番組コンテンツ記憶部２３に送信し、番組録画を可能にすれば、地上波デジタル放送受信装置Ａ（１０１）、地上波デジタル放送受信装置Ｂ（１０２）を接続するインターネット接続装置２が低速であり、映像・音声データの伝送が困難な場合であっても、ユーザは、地上波デジタル放送受信装置Ａ（１０１）での受信が困難な番組を、地上波デジタル放送受信装置Ｂ（１０２）で受信して録画することにより、後に視聴することができる。
なお、このとき、地上波デジタル放送受信装置Ｂ（１０２）に搭載された番組コンテンツ記憶部２３の代替として、図２８に示すように、地上波デジタル放送受信装置Ｂ（１０２）に接続された番組録画装置３０を用いて番組を録画しても良い。
【００６８】
また、ユーザがあらかじめ自宅にある地上波デジタル放送受信装置Ｂ（１０２）に検索条件設定を行っていた場合、後に、車載用の地上波デジタル放送受信装置Ａ（１０１）が検索条件要求のトリガを発生したことを契機に、車載用の地上波デジタル放送受信装置Ａ（１０１）が、外部装置接続部２５、インターネット接続装置２、インターネット３のそれぞれを介して自宅にある地上波デジタル放送受信装置Ｂ（１０２）と通信し、地上波デシタル放送受信装置Ｂ（１０２）にあらかじめ設定された検索条件を送信するように要求する。
ここで取得した検索条件を、車載用の地上波デジタル放送受信装置Ａ（１０１）に自動的に設定できるようにすれば、ユーザは、検索条件設定のために車両内での操作を行う必要がなくなるため、安全運転上からも望ましい。
【００６９】
図２９に、自宅にある地上波デジタル放送受信装置Ｂ（１０２）で設定した検索条件を、車載用の地上波デジタル放送受信装置Ａ（１０１）に設定する際の動作の流れが示されている。
すなわち、車載用の地上波デジタル放送受信装置Ａ（１０１）の主制御部１０は、まず、図示せぬＬＡＮ接続されたＥＣＵ（電子制御ユニット）等から出力されてくる信号を監視してエンジンキーのＯＮ／ＯＦＦを判定する（ステップＳＴ２９１）。ここで、検索トリガの発生条件を、車載用の地上波デジタル放送受信装置Ａ（１０１）に電源が供給された場合と定義すれば、車載用の地上波デジタル放送受信装置Ａ（１０１）は、車両のエンジンキーがオンされると電源が供給される仕組みになっているため（ステップＳＴ２９２）、設定により、外部装置接続部２５、インターネット接続装置２、インターネット３を経由して、自宅にある地上波デジタル放送受信装置Ｂ（１０２）との通信が確立される（ステップＳＴ２９３）。
【００７０】
そして、車載用の地上波デジタル放送受信装置Ａ（１０１）の主制御部１０は、自宅にある地上波デジタル放送受信装置Ｂ（１０２）と通信により、自宅にある地上波デジタル放送受信装置Ｂ（１０２）に検索条件が設定済みであるか否かを判定し（ステップＳＴ２９４）、設定されていれば（ステップＳＴ２９４“Ｙｅｓ”）、更なる通信により、検索条件を取得して、車載用の地上波デジタル放送受信装置Ａ（１０１）にその検索条件を設定する（ステップＳＴ２９５）。
このことにより、ユーザは、車両発進前に特別な操作を行うことなく検索条件を設定することができるため、ユーザにとっては更に望ましい。また、車載用の地上波デジタル放送受信装置Ａ（１０１）の検索条件を、自宅にある地上波デジタル放送受信装置Ｂ（１０２）と同一になるよう設定しておくことで、車両内でも自宅でも同じ環境で番組検索を行うことが可能になり、一層、ユーザの利便性が増す。
【００７１】
なお、上記した実施の形態３によれば、通信による番組検索後、一方の地上波デジタル放送受信装置０１（１０２）が持つ表示モニタへ、検索結果一覧を表示することのみ説明したが、実施の形態２同様、検索結果一覧を表示するだけでなく、検索結果一覧の中からユーザが視聴したい番組の選択を促し、ユーザが、方向ボタンや決定ボタン、あるいはタッチパネルや、音声入力等、入力部１４を操作することによりチャンネル選局を可能とすれば、絞り込まれた番組を容易に選局することができることはいうまでもない。
【００７２】
また、上記した実施の形態１〜３によれば、番組情報検索システムが地上波デジタル放送受信装置に実装された場合のみ例示して説明したが、このことに制限されず、地上波アナログ放送受信装置や、ラジオ放送受信装置、ＢＳ／ＣＳ放送受信装置など、番組情報が配信される全ての放送受信装置に適用することができる。
また、現在位置検出部２０と、経路情報取得部２２は、地上波デジタル放送受信装置１（１０１、１０２）に付属の機能として説明したが、携帯電話やカーナビゲーション装置等と接続することで、現在位置情報や経路情報を取得しても構わない。更に、ここではアンテナレベル情報記憶部２１は、あらかじめ記憶された情報を記憶し、また、番組情報記憶部１９は、アンテナ部１１が受信した放送波中に含まれる番組情報を主制御部１０から受信して記憶することを想定しているが、これらの情報は、持ち運び可能なフラッシュメモリ等のポータブルデバイスや通信を利用することによって取得し、更新しても構わない。
【００７３】
また、ここでは、地上波デジタル放送受信装置１（１０１、１０２）に備え付けられたボタンやタッチパネル、リモコン等による操作、およびマイクなどの入力デバイスを利用して、ユーザによって入力部１４から入力された検索条件を、主制御部１０を介して検索条件記憶部１９に記憶し、検索制御部１８が検索条件に適合する番組を検索することを想定しているが、入力部１４による検索条件の入力は、他の放送受信装置、カーナビゲーションシステム、パーソナルコンピュータ等の外部装置から、持ち運び可能なフラッシュメモリなどのポータブルデバイスや通信を利用することによって入力されても構わない。
【００７４】
なお、上記した地上波デジタル放送受信装置１（１０１、１０２）の制御中枢となる主制御部１０、および検索制御部１８は、具体的には、ＣＰＵにより構成され、図示せぬメモリに記録されたコンピュータプログラムにしたがい、周辺制御用ＬＳＩを制御することにより、「使用環境の変化に応じて適宜検索を開始させるためのタイミング信号の発生を契機に番組情報の検索を行い、あるいは検索条件を変更して番組情報の検索を行なうことで、ユーザが所望する最適な検索結果をユーザに提供する」機能を実現するものである。
ここで、周辺ＬＳＩとは、アンテナ部１１、チューナ部１２、デコーダ部１３、入力部１４、メニュー生成部１５、映像・音声出力部１６、現在位置検出部２０、経路情報取得部２２、外部装置接続部２５のそれぞれが接続されるコントローラあるいは入出力ポートをいうものとする。また、メモリには、上記したコンピュータプログラムの他、番組情報記憶部１７、検索条件記憶部１９、アンテナレベル情報記憶部２１、番組コンテンツ記憶部２３、予約情報記憶部２４のそれぞれが割当てられ記憶される。
【図面の簡単な説明】
【００７５】
【図１】この発明の実施の形態１に係る番組情報検索システムの構成を示すブロック図である。
【図２】この発明の実施の形態１に係る番組情報検索システムの動作を説明するために引用したフローチャートである。
【図３】この発明の実施の形態１に係る番組情報検索システムの動作を説明するために引用した図である。
【図４】この発明の実施の形態１に係る番組情報検索システムの動作を説明するために引用した図である。
【図５】この発明の実施の形態１に係る番組情報検索システムの動作を説明するために引用した図である。
【図６】この発明の実施の形態１に係る番組情報検索システムの動作を説明するために引用した図である。
【図７】この発明の実施の形態１に係る番組情報検索システムの動作を説明するために引用した図である。
【図８】この発明の実施の形態１に係る番組情報検索システムの動作を説明するために引用した図である。
【図９】この発明の実施の形態１に係る番組情報検索システムの動作を説明するために引用した図である。
【図１０】この発明の実施の形態１に係る番組情報検索システムの動作を説明するために引用した図である。
【図１１】この発明の実施の形態２に係る番組情報検索システムの動作を説明するために引用したフローチャートである。
【図１２】この発明の実施の形態１に係る番組情報検索システムの動作を説明するために引用した図である。
【図１３】この発明の実施の形態２に係る番組情報検索システムの応用例の動作を説明するために引用したフローチャートである。
【図１４】この発明の実施の形態１、２に係る番組情報検索システムの検索タイミングを説明するために引用した図である。
【図１５】この発明の実施の形態１、２に係る番組情報検索システムの検索タイミングを説明するために引用した図である。
【図１６】この発明の実施の形態１、２に係る番組情報検索システムの検索タイミングを説明するために引用した図である。
【図１７】この発明の実施の形態１、２に係る番組情報検索システムの検索タイミングを説明するために引用した図である。
【図１８】この発明の実施の形態１、２に係る番組情報検索システムの検索タイミングを説明するために引用した図である。
【図１９】この発明の実施の形態１、２に係る番組情報検索システムの検索タイミングを説明するために引用した図である。
【図２０】この発明の実施の形態１、２に係る番組情報検索システムの検索タイミングを説明するために引用した図である。
【図２１】この発明の実施の形態１、２に係る番組情報検索システムの検索タイミングを説明するために引用した図である。
【図２２】この発明の実施の形態３に係る番組情報検索システムの接続構成の一例を示すブロック図である。
【図２３】図２２に示すデジタル放送受信装置Ａと、インターネット接続装置Ａの内部構成を示すブロック図である。
【図２４】この発明の実施の形態３に係る番組情報検索システムの動作を説明するために引用したフローチャートである。
【図２５】この発明の実施の形態３に係る番組情報検索システムの動作を説明するために引用した図である。
【図２６】この発明の実施の形態３に係る番組情報検索システムの動作を説明するために引用した図である。
【図２７】この発明の実施の形態３に係る番組情報検索システムの動作を説明するために引用した図である。
【図２８】この発明の実施の形態３に係る番組情報検索システムの動作を説明するために引用した図である。
【図２９】この発明の実施の形態３に係る番組情報検索システムの応用例の動作を説明するために引用したフローチャートである。
【符号の説明】
【００７６】
１，１０１，１０２  デジタル放送受信装置、２  インターネット接続装置、３  インターネット、１０  主制御部、１１  アンテナ部、１２  チューナ部、１３  デコーダ部、１４  入力部、１５  メニュー生成部、１６  映像・音声出力部、１７  番組情報記憶部、１８  検索制御部、１９  検索条件記憶部、２０  現在位置検出部、２１  アンテナレベル情報記憶部、２２  経路情報取得部、２３  番組コンテンツ記憶部、２４  予約情報記憶部、２５  外部装置接続部、３０  番組録画装置。
【図１】
2008078765.tif 000003
【図２】
2008078765.tif 000004
【図３】
2008078765.tif 000005
【図４】
2008078765.tif 000006
【図５】
2008078765.tif 000007
【図６】
2008078765.tif 000008
【図７】
2008078765.tif 000009
【図８】
2008078765.tif 000010
【図９】
2008078765.tif 000011
【図１０】
2008078765.tif 000012
【図１１】
2008078765.tif 000013
【図１２】
2008078765.tif 000014
【図１３】
2008078765.tif 000015
【図１４】
2008078765.tif 000016
【図１５】
2008078765.tif 000017
【図１６】
2008078765.tif 000018
【図１７】
2008078765.tif 000019
【図１８】
2008078765.tif 000020
【図１９】
2008078765.tif 000021
【図２０】
2008078765.tif 000022
【図２１】
2008078765.tif 000023
【図２２】
2008078765.tif 000024
【図２３】
2008078765.tif 000025
【図２４】
2008078765.tif 000026
【図２５】
2008078765.tif 000027
【図２６】
2008078765.tif 000028
【図２７】
2008078765.tif 000029
【図２８】
2008078765.tif 000030
【図２９】
2008078765.tif 000031